(57)【特許請求の範囲】
【請求項１】
相互に連結することで大きさの異なる複数種類の看板フレームを構成することができる内部に照明光源を装着した複数のユニットフレームと、前記連結後の看板フレームに対応して張り付ける光透過性を有する半透明のシートとよりなる看板であって、前記ユニットフレームは、他のユニットフレームと連結するためと、建築物、支柱等の構築物に取り付けるための構造フレームと、この構造フレームに着脱可能であり、かつシートを直接張り付けるシート展張フレームとより構成し、前記シート展張フレームは、構造フレームに脚部において着脱可能に取り付ける前後一対の横フレーム及び左右一対の縦フレームと、横フレームと縦フレームを着脱可能に連結するコーナーフレームとよりなる、シートによる表示面を形成する表示面形成フレームと、構造フレームに前記脚部において着脱可能に取り付ける、前後一対の横フレーム及び左右一対の縦フレームと、横フレームと縦フレームを着脱可能に連結するコーナーフレームとよりなる、シートの周縁部を固定するシート固定フレームとより構成し、かつ連結したユニットフレームの表示面形成フレームの横フレーム同士または縦フレーム同士を連結する連結用フレームを備えていることを特徴とする看板。
【発明の詳細な説明】
【０００１】
【発明の属する技術分野】
この発明は、照明式の看板に関するものである。
【０００２】
【従来の技術】
従来の照明式の看板は、パイプでボックス型のフレームを組み、その中に照明光源を装着し、フレームに光透過性を有する半透明のシートを張ったものが一般的である。
【０００３】
しかし、この種の看板は、現場に合わせた寸法で、特注で作るため、互換性と汎用性に欠ける。また、フレームを取り替えて更新するとコスト高につくし、短期間の使用では費用効果の点で割に合わない。
【０００４】
また、同じく、光源を内蔵したフレームに光透過性を有する半透明のシートを張った照明式の看板であっても、モジュール割り（看板の寸法関係をモジュールによって調整）をして作った最小単位のフレームであるユニットフレームを複数個作っておき、これを単独で、または相互に連結することで、現場の取付場所、必要とする看板の大きさ、形状に応じた看板フレームを作り、これにシートを張って構成するものもある。
【０００５】
しかし、このタイプの看板の場合は、ユニットフレームそれ自体が完結した看板フレームとなっていて、シートを張ったときにシートによる四角形の表示面を形成する表示面形成フレームを持っている。また、分解、組立てができる構成となっていない。
【０００６】
このため、ユニットフレームを複数個連結して看板フレームを作ると、各ユニットフレームの前記表示面形成フレームが複数個、連結方向に並ぶことになる。
【０００７】
このような連結看板フレームにシートを張ってシートによる看板の表示面を形成すると、各ユニットフレームの表示面形成フレームの一部が、シートの背後で、前記看板の表示面を横切ることになる。
【０００８】
この看板の表示面を横切るフレームは、光源によって同表示面に影となって写し出されるので、これが看板の表示品質を低下させている。
【０００９】
【発明が解決しようとする課題】
この発明は、このような従来の問題点を解決するためになされたもので、
（１）施工現場で組立て、分解をすることができ、
（２）施工現場でユニットフレームを連結することによって必要とする大きさと形状にすることができ、
（３）連結したユニットフレームにシートを張り付けたとき、シートによる表示面にフレームの影が写し出されず、
（４）ユニットフレームの全部または一部の交換による更新が容易であり、
（５）コストの低減が可能な、
照明式の看板を提供することを目的とする。
【００１０】
【課題を解決するための手段】
この発明が提供する看板は、以下のとおりである。
【００１１】
相互に連結することで大きさの異なる複数種類の看板フレームを構成することができる内部に照明光源を装着した複数のユニットフレームと、前記連結後の看板フレームに対応して張り付ける光透過性を有する半透明のシートとよりなる看板であって、前記ユニットフレームは、他のユニットフレームと連結するためと、建築物、支柱等の構築物に取り付けるための構造フレームと、この構造フレームに着脱可能であり、かつシートを直接張り付けるシート展張フレームとより構成し、前記シート展張フレームは、構造フレームに脚部において着脱可能に取り付ける前後一対の横フレーム及び左右一対の縦フレームと、横フレームと縦フレームを着脱可能に連結するコーナーフレームとよりなる、シートによる表示面を形成する表示面形成フレームと、構造フレームに前記脚部において着脱可能に取り付ける、前後一対の横フレーム及び左右一対の縦フレームと、横フレームと縦フレームを着脱可能に連結するコーナーフレームとよりなる、シートの周縁部を固定するシート固定フレームとより構成し、かつ連結したユニットフレームの表示面形成フレームの横フレーム同士または縦フレーム同士を連結する連結用フレームを備えているものである。
【００１２】
【作用】
（１）本発明によれば、ユニットフレームを構造フレームとシート展張フレームとで構成し、分解と組立てができるようにしたから、施工現場への搬入、施工現場での組立て、分解が容易になり、交換も容易になる。
【００１３】
（２）さらに本発明によれば、モジュール割りして作ったユニットフレームを看板の構成単位とするから、ユニットフレーム単独で、またはその連結によって必要とする大きさと形状の看板を構成することができる。
【００１４】
（３）そして、ユニットフレームを複数個、連結したときは、各ユニットフレームのシート展張フレームの横フレームまたは縦フレームとコーナーフレームを取り外して、縦フレーム同士または横フレーム同士を連結用フレームで連結するから、シートによる表示面にフレームの影が写し出されない。
【００１５】
（４）さらに、看板フレームを規格品であるユニットフレームで構成するから、コストの低減が可能である。
【００１６】
【発明の実施の形態】
以下、この発明の実施の形態を実施例によって説明する。
【００１７】
（基本構成の看板）
図１は、本発明に係る基本構成の看板の分解斜視図であり、図２は図１に示すユニットフレームの平面図である。この基本構成の看板は、ユニットフレームＵ１個だけで構成される看板フレームＦ1 と、これに張り付けた光透過性を有する半透明のシートＳ1 とより構成されている。
【００１８】
ユニットフレームＵは、想定される大きさと形状の異なる複数の看板の寸法関係をモジュールによって調整して作った、すなわち、モジュール割りをして作った最小単位のフレームである。
【００１９】
このユニットフレームＵは、構造フレームｆ1 とシート展張フレームｆ2 とより構成されている。
【００２０】
構造フレームｆ1 は、Ｌ形鋼を四角形に組み上げて形成した枠体１に鋼板２を接合した構造のものである。ユニットフレームＵは、枠体１において、建築物、アーチ等の構築物に取り付けられ、枠体１のボルト穴３において、図外のボルト・ナットで相互に連結される構成となっている。
【００２１】
シート展張フレームｆ2 は、張り付けたシートＳ1 によって看板の表示面を形成する表示面形成フレーム４と、張り付けたシートＳ1 の周縁部を固定するシート固定フレーム５とより構成されている。
【００２２】
表示面形成フレーム４は、４本の脚部８ａにおいて、枠体１にボルト・ナットｎで着脱可能に取り付けた前後一対の横フレーム６，７と、２本の脚部８ｂにおいて枠体１にボルト・ナットｎで着脱可能に取り付けた左右一対の縦フレーム９，１０と、横フレーム６，７と縦フレーム９，１０を着脱可能に連結するコーナーフレーム１１とより構成されている。
【００２３】
シート固定フレーム５は、前記４本の脚部８ａにおいて枠体１にボルト・ナットｎで着脱可能に取り付けた前後一対の横フレーム１２，１３と、前記２本の脚部８ｂにおいて枠体１にボルト・ナットｎで着脱可能に取り付けた左右一対の縦フレーム１４，１５と、横フレーム１２，１３と縦フレーム１４，１５を着脱可能に連結するコーナーフレーム１６とより構成されている。
【００２４】
１７，１８は、照明用の蛍光灯で、補強フレーム１９を介して枠体１に取り付けられている。
【００２５】
図３は、上記構成の代表例として、縦フレーム９と縦フレーム１４の脚部８ｂへの取付構造を示したものである。
【００２６】
横フレーム６，７，１２，１３と縦フレーム９，１０，１４，１５は、いずれも鋼製のパイプである。図４はこれらのパイプに端部を差し込んで、横，縦両パイプを連結する上記コーナーフレーム１１，１６を示す。
【００２７】
シートＳ1 は、看板フレームＦ1 の形状に対応した形状になっていて、全体が四角錐台形になっている。このシートＳ1 は、図５に示すように、看板フレームＦ1 に被せ、周縁部を穴２０に通したロープ２１でシート固定フレーム５に固定される。
【００２８】
図５は、このようにして構成された看板である。表示面形成フレーム４によって形成された看板シートの平面が文字、図柄等の表示面ｅとなる。
【００２９】
図示しないが、ユニットフレームＵを背中合わせに結合して組合せ看板フレームを作り、それぞれのシート展張フレームにシートを張り付けて看板を作ることもできる。このようにすると、シートによる表示面が表裏２つできることになる。この場合、構造フレームと蛍光灯は共用する構成とすることができる。
【００３０】
（実施例１）
以下に、本発明の一実施例を示す。
【００３１】
前記基本構成の看板は、ユニットフレームＵを１個だけ使用して看板を作る場合の例である。しかし、図７に示すように、２個のユニットフレームＵを左右方向に連結して看板フレームＦ2 を作り、これに対応するシートＳ2 （図示せず）を張り付けて看板とすることができる。
【００３２】
この場合には、一方（図７の左側）のユニットフレームＵからは右側の縦フレーム１０，１５をコーナーフレーム１１，１６とともに取り外し、他方の（図７の右側）のユニットフレームＵからは左側の縦フレーム９，１４をコーナープレート１１，１６とともに取り外す。そして、一方のユニットフレームＵの横フレーム６，７と他方のユニットフレームＵの横フレーム６，７を、図６に示す連結用フレーム２２でそれぞれ連結する。
【００３３】
このようにすると、両ユニットフレームＵの横フレーム６，７と左右両端の縦フレーム９，１０とコーナーフレーム１１と連結用フレーム２２とによりシートＳ2 による表示面形成フレームが形成される。
【００３４】
このフレームによって形成される表示面においては、その背後にあって、同表示面を前後方向に横切るフレームが存在しないことになるので、シートＳ2 で形成される表示面に、蛍光灯１７，１８の照明によって、フレームの影が写し出されるといった現象は生じない。
【００３５】
図８（ａ）は、３つのユニットフレームＵを、図７の場合と同様に、左右方向に連結して作った看板フレームＦ3 の構成を模式的に示したものである。同図（ｂ）は、この看板フレームＦ3 に張り付けるシートＳ3 を示す。
【００３６】
図８（ａ）において破線で示す部分２３がシートＳ3 による表示面形成フレームである。このフレームは長方形のフレームで、これを横切るフレームは存在しない。
【００３７】
図９（ａ）は、３つのユニットフレームＵを前後方向に連結して作った看板フレームＦ4 の構成を模式的に示したものである。図９（ｂ）は、この看板フレームＦ4 に張り付けるシートＳ4 を示す。
【００３８】
図９（ａ）に破線で示す部分２４がシートＳ4 による表示面形成フレームである。このフレーム２４は、図２を利用して説明すれば、隣り合うユニットフレームＵの縦フレーム９，１０と上下両端の横フレーム６，７と、コーナーフレーム１１と、連結用フレーム２２とにより形成されている。
【００３９】
図示しないが、看板フレームを背中合わせに結合して両面に表示面形フレームを有する重ねフレームを作り、それぞれの看板フレームにシートを張り付けて看板を作ることもできる。このようにすると、シートによる表示面が表裏２つできることになる。この場合、構造フレームと蛍光灯は共用する構成とすることもできる。
【００４０】
【発明の効果】
（１）本発明によれば、ユニットフレームの分解、組立てが可能であるから、施工現場に分解して搬入し、施工現場で組み立てることができる。したがって、施工が容易であり、交換も容易になる。
【００４１】
（２）さらに本発明によれば、ユニットフレームを看板の構成単位とするから、ユニットフレーム単独で、またはその連結によって必要とする大きさと形状の看板を構成することができる。
【００４２】
（３）そして、ユニットフレームを複数個、連結したときでも、シートによる表示面にフレームの影が写し出されないようにフレームを組み替えることができる。
【００４３】
（４）さらに、看板フレームを規格品としてのユニットフレームで構成するから、看板の製造コストの低減が可能となる。
【図面の簡単な説明】
【図１】  本発明の基本構成の看板をユニットフレームとシートに分解して示した斜視図
【図２】  図１におけるユニットフレームの平面図
【図３】  図２におけるシート展張フレームの要部拡大斜視図
【図４】  図１におけるコーナーフレームの斜視図
【図５】  本発明の基本構成の看板の斜視図
【図６】  図１のユニットフレームを連結する際に使用する連結用フレームの斜視図
【図７】  実施例１の看板を構成する看板フレームの平面図
【図８】  実施例１の看板の他の態様を模式的に示す平面図
【図９】  実施例１の看板の他の態様を模式的に示す平面図
【符号の説明】
Ｕ  ユニットフレーム
Ｆ1 ，Ｆ2 ，Ｆ3 ，Ｆ4   看板フレーム
Ｓ1 ，Ｓ2 ，Ｓ3 ，Ｓ4   シート
ｆ1   構造フレーム
ｆ2   シート展張フレーム
ｅ  表示面
１  枠体
２  鋼板
３  ボルト穴
４，２３，２４  表示面形成フレーム
５  シート固定フレーム
６，７，１２，１３  横フレーム
９，１０，１４，１５  縦フレーム
１１，１６  コーナーフレーム
１７，１８  蛍光灯
２０  穴
２１  ロープ
２２  連結用フレーム
【図１】
0003813787.tif 000002
【図２】
0003813787.tif 000003
【図３】
0003813787.tif 000004
【図４】
0003813787.tif 000005
【図５】
0003813787.tif 000006
【図６】
0003813787.tif 000007
【図７】
0003813787.tif 000008
【図８】
0003813787.tif 000009
【図９】
0003813787.tif 000010